(57)【要約】【課題】攪拌槽内の腐葉土等の基材に対して常に適度の湿気を与え、乾燥を防止することで、その腐葉土等の基材の粉の飛散を防止し、周囲が汚染されてしまうことがないようにしたり、多分な水分を回収することにより、適度な基材の湿り気を保つ生ごみ処理機とする。【解決手段】天面に開閉蓋を備えたケーシング内に生ごみを発酵分解する特性を有する微生物を含有した腐葉土等の基材が収容される攪拌槽を設け、その攪拌槽内には複数の攪拌棒を突設した回転軸を配置してある生ごみ処理機において、前記ケーシング内又は外に貯水容器を配するとともに、その貯水容器内の水と接触する空気を流通させて前記攪拌槽へ強制的に送るファンを備えていることし、前記したファンは攪拌槽の上部位置に形成された窓孔と対応して備えられ、そのファンを包合する通気路を前記した貯水容器と連結させるとともに、貯水容器と前記した攪拌槽の上部位置に別途形成された送気孔とを送気路で連結させてあることとする。【選択図】          図１
2004209330.tif 000002
【特許請求の範囲】
【請求項１】
天面に開閉蓋を備えたケーシング内に生ごみを発酵分解する特性を有する微生物を含有した腐葉土等の基材が収容される攪拌槽を設け、その攪拌槽内には複数の攪拌棒を突設した回転軸を配置してある生ごみ処理機において、前記ケーシング内又は外に貯水容器を配するとともに、その貯水容器内の水と接触する空気を流通させて前記攪拌槽へ強制的に送るファンを備えていることを特徴とする生ごみ処理機。
【請求項２】
前記した貯水容器は平皿状のトレイタイプ又はタンクのものとし、攪拌槽の下方へ配してあることを特徴とする請求項１に記載の生ごみ処理機。
【請求項３】
前記した貯水容器はケーシングに対して取り出し可能としてあることを特徴とする請求項２に記載の生ごみ処理機。
【請求項４】
前記した貯水容器には加熱ヒーターを付設してあることを特徴とする請求項１、請求項２または請求項３に記載の生ごみ処理機。
【請求項５】
前記したファンはケーシング内に備え、ケーシング内の空気を流通させることを特徴とする請求項１、請求項２、請求項３または請求項４に記載の生ごみ処理機。
【請求項６】
前記したファンは攪拌槽の上部位置に形成された窓孔と対応して備えられ、そのファンを包合する通気路を前記した貯水容器と連結させるとともに、貯水容器と前記した攪拌槽の上部位置に別途形成された送気孔とを送気路で連結させてあることを特徴とする請求項１、請求項２、請求項３、請求項４または請求項５に記載の生ごみ処理機。
【発明の詳細な説明】
【０００１】
【発明の属する技術分野】
本発明は生ごみ処理機に関し、特に攪拌槽内に生ごみを発酵分解する特性を有する微生物を含有した腐葉土等の基材を収容し、その攪拌槽内に生ごみを投入して前記腐葉土等の基材と共に攪拌することで生ごみを分解処理する生ごみ処理機の改良に関する。
【０００２】
【特許文献】
特開２００１−３３４２３８
【０００３】
【発明の背景】
従来より生ごみを発酵分解する特性を有する微生物の存在が確認されており、前記した特許文献にもこの微生物を利用した生ごみ処理機が記載されている。但し、この特許文献は微生物の繁殖が生ごみの投入により促進され能力が高くなるが、数日間生ごみの投入がないと能力を復元させるのに時間がかかることに着目し、攪拌槽（発酵槽）自体を加熱し、高温を保つことで復元時間を短縮しようとするものである。
【０００４】
【発明が解決しようとする課題】
しかしながら、本発明は上記した問題点とは異なり、攪拌槽内に収容されている腐葉土等の基材が外気との接触等によって乾燥してしまい、例えばその粉を周囲に飛散させてしまう事態が生じていることを解決しようとしている。
【０００５】
【発明の目的】
本発明は上記した従来の実情、問題点に着目してなされたもので、係る問題点を解消して、攪拌槽内の腐葉土等の基材に対して常に適度の湿気を与え、乾燥を防止することで、その腐葉土等の基材の粉の飛散を防止し、周囲が汚染されてしまうことがないようにしたり、多分な水分を回収することにより、適度な基材の湿り気を保つ生ごみ処理機を提供することを目的としている。
【０００６】
【課題を解決するための手段】
この目的を達成するために、本発明に係る生ごみ処理機は天面に開閉蓋を備えたケーシング内に生ごみを発酵分解する特性を有する微生物を含有した腐葉土等の基材が収容される攪拌槽を設け、その攪拌槽内には複数の攪拌棒を突設した回転軸を配置してある生ごみ処理機において、前記ケーシング内又は外に貯水容器を配するとともに、その貯水容器内の水と接触する空気を流通させて前記攪拌槽へ強制的に送るファンを備えていることを特徴とし、前記した貯水容器は平皿状のトレイタイプ又はタンクのものとし、攪拌槽の下方へ配してあることを特徴とし、前記した貯水容器はケーシングに対して取り出し可能としてあることを特徴とし、前記した貯水容器には加熱ヒーターを付設してあることを特徴とし、前記したファンはケーシング内に備え、ケーシング内の空気を流通させることを特徴とし、前記したファンは攪拌槽の上部位置に形成された窓孔と対応して備えられ、そのファンを包合する通気路を前記した貯水容器と連結させるとともに、貯水容器と前記した攪拌槽の上部位置に別途形成された送気孔とを送気路で連結させてあることを特徴としている。
【０００７】
【作用】
上記した構成としたことによって、攪拌槽内に収容されている腐葉土等の基材には水と接した空気が流されることで適度な湿り気が与えられることとなり、腐葉土等の基材が乾燥してしまうことがなく、従って粉が飛散してしまうことを抑えることができる。また、湿度の高い時は湿気水分を回収できるのであり、貯水容器にヒーターを付設することで湿度の確保が維持でき、寒冷地等にあっての凍結も防止することができることとなる。
【０００８】
【発明の実施の形態】
次に、本発明の好ましい実施の形態を図面を参照して説明する。図１は本発明を実施した生ごみ処理機を示す縦断面図、図２は同じく攪拌棒を示す斜視図である。
【０００９】
これらの図にあって１は生ごみ処理機本体を示している。この生ごみ処理機本体１は強化プラスチック（ＦＲＰ）等によって成形された天面開口のケーシング２を有しており、このケーシング２の天面開口には、この開口を開閉する蓋体３がヒンジ４によって枢動自在に備えられている。
【００１０】
前記したケーシング２内には、やはり強化プラスチック（ＦＲＰ）、板金等で成形された攪拌槽６が備えられている。この攪拌槽６は断面が略Ｕ字状に形成され、底面を弧状のものとしている。
【００１１】
この攪拌槽６には、一方の側壁から回転軸７が突出されており、この回転軸７には所定の距離を隔てて攪拌棒８・８‥が数本設けられている。
【００１２】
また、前記した攪拌槽６内には腐葉土９が収容されており、この腐葉土９には生ごみを発酵させ、分解してしまう特性を有した微生物が含有されたものとなっている。この腐葉土９を前記した回転軸７を回転させ、攪拌棒８・８‥で攪拌することで、前記した微生物による生ごみの分解能力を向上させることとなるが、攪拌槽６の底部を弧状とすることで、腐葉土９の攪拌時にコーナーにその腐葉土９が残留してしまうことを防止している。
【００１３】
一方、図中１０は回転軸７の回転駆動モータであり、このモータ１０のモータ軸と、回転軸７が取り付けられたプーリ１１には回転力伝達のためのベルト１２が掛け回されている。このベルト１２に代えてチェーンも用いることができるが、チェーンを用いた場合はプーリ１１に代えて歯車が使用されることとなる。
【００１４】
また、前記したケーシング２の底部で、攪拌槽６の底面とのスペースには貯水容器１３が備えられている。この実施の形態にあって、貯水容器１３は平タンクのものとされ、この貯水容器１３内は水１４が収容されている。
【００１５】
さらに、この貯水容器１３には加熱用のヒーター１５が付設され、湿り気の補充や寒冷地等における水１４の凍結を防止するようにしてある。
【００１６】
そして、前記した攪拌槽６の一方側の上部位置には排気用の窓孔１７が形成され、その窓孔１７にはフィルター１８が装備されている。その窓孔１７と対応してモータ付きのファン１６が備えられているもので、このファン１６を包合した状態でパイプ状とされた通気路１９が設けられている。
【００１７】
この通気路１９の下端は貯水容器１３の天面に形成された接続口２０と接続され、攪拌槽６からの排気（吸気）を水１４上へ送り込むものとしている。貯水容器１３の他方側の天面にも接続口２１が形成されその接続口２１には攪拌槽６の他方側上部に形成されている送気口２２と連結されるパイプ状の送気路２３が設けられ、水１４上を通って湿り気を帯びた空気を攪拌槽６内へ送り込むものとしてある。
【００１８】
一方、図中２４はケーシング２の下端寄りに設けられた外気の吸引ファンでこの吸引ファン２４で取り込まれた外気は通気口２５を通って攪拌槽６の上方へも送り込まれるようになっている。そして、適宜位置に湿度センサーを設けておきファン１６の稼動を抑制したり、ソレノイド等により排気経路を制御したりすることで過剰な湿度の付与を避けることもできることとなる。
【００１９】
本実施の形態に係る生ごみ処理機本体１は上記のように構成されている。ここでファン１６を回転作動させると、そのファン１６はケーシング２内の空気、即ち、生ごみの発酵分解処理にともなって発生した水分や粉塵、二酸化炭素を含んだ空気を取り込んで貯水容器１３内の水１４上を通り、適度な湿り気を含んだ状態となって攪拌槽６内へ送られ、攪拌槽６内の腐葉土９にその湿り気を与えることとなる。尚、貯水容器１３はケーシング２内から取り出し可能となっており、水の補給や清掃も可能なものとしてある。
【００２０】
【発明の効果】
本発明に係る生ごみ処理機は上述のように構成され、作用する。そのために、腐葉土等の基材に対して、適度な湿り気が与えられることになり、その腐葉土等の基材が乾燥してしまうことがなく、その乾燥に起因する粉の飛散も防止することができる。また、ファンをケーシング内に取り付けたことでケーシング内に存在している腐葉土等の基材の生ごみ分解にともなう余分な水分や塵埃も除去され、クリーンな状態を保持できることともなる。
【図面の簡単な説明】
【図１】本発明を実施した生ごみ処理機を示す縦断面図である。
【図２】攪拌棒を示す斜視図である。
【符号の説明】
１  生ごみ処理機本体
２  ケーシング
３  蓋体
４  ヒンジ
６  攪拌槽
７  回転軸
８  攪拌棒
９  腐葉土
１０  回転駆動モータ
１１  プーリ
１２  ベルト
１３  貯水容器
１４  水
１５  ヒーター
１６  ファン
１７  窓孔
１８  フィルター
１９  通気路
２０  接続口
２１  接続口
２２  送気口
２３  送気路
２４  吸引ファン
２５  通気口
【図１】
2004209330.tif 000003
【図２】
2004209330.tif 000004
【手続補正書】
【提出日】平成15年9月17日(2003.9.17)
【手続補正１】
【補正対象書類名】明細書
【補正対象項目名】特許請求の範囲
【補正方法】変更
【補正の内容】
【特許請求の範囲】
【請求項１】
天面に開閉蓋を備えたケーシング内に生ごみを発酵分解する特性を有する微生物を含有した腐葉土等の基材が収容される攪拌槽を設け、その攪拌槽内には複数の攪拌棒を突設した回転軸を配置してある生ごみ処理機において、前記ケーシング内又は外に貯水容器を配するとともに、その貯水容器内の水と接触する空気を流通させて前記攪拌槽へ強制的に送るファンを備えていることを特徴とする生ごみ処理機。
【請求項２】
前記した貯水容器は平皿状のトレイタイプ又はタンクのものとし、攪拌槽の下方へ配してあることを特徴とする請求項１に記載の生ごみ処理機。
【請求項３】
前記した貯水容器はケーシングに対して取り出し可能としてあることを特徴とする請求項２に記載の生ごみ処理機。
【請求項４】
前記した貯水容器には加熱ヒーターを付設してあることを特徴とする請求項１、請求項２または請求項３に記載の生ごみ処理機。
【請求項５】
前記したファンはケーシング内に備え、ケーシング内の空気を流通させることを特徴とする請求項１、請求項２、請求項３または請求項４に記載の生ごみ処理機。
【請求項６】
前記したファンは攪拌槽の上部位置に形成された窓孔と対応して備えられ、そのファンを包合する通気路を前記した貯水容器と連結させるとともに、貯水容器と前記した攪拌槽の上部位置に別途形成された送気孔とを送気路で連結させてあることを特徴とする請求項１、請求項２、請求項３、請求項４または請求項５に記載の生ごみ処理機。
【請求項７】
前記した貯水容器にはポンプを付設してあることを特徴とする請求項１、請求項２、請求項３、請求項４、請求項５または請求項６に記載の生ごみ処理機。
【手続補正２】
【補正対象書類名】明細書
【補正対象項目名】００１５
【補正方法】変更
【補正の内容】
【００１５】
さらに、この貯水容器１３には加熱用のヒーター１５が付設され、湿り気の補充や寒冷地等における水１４の凍結を防止するようにしてある。また、この貯水容器１３には必要に応じてポンプを付設することができ、攪拌槽６の上方へシャワーパイプ等を設け、強制的に貯水容器１３内の水１４を投与し、湿り気を与えるようにすることもできる。この場合、腐葉土９には乾燥度のセンサーを設け、このセンサーとポンプを併用するようにすることでより効果的となる。